(57)【要約】【課題】  装置に複数投入されたジョブの中から、設定変更対象のジョブを選択して、転送先の変更、秘匿印刷の切替えを可能にする画像処理装置を提供する。【解決手段】  投入されたジョブの一覧を表示する。表示されたジョブの各々について、図９（ａ）に示すジョブ設定画面を表示し、他の画像処理装置への出力の設定を受け付ける。投入されたジョブを出力する際、出力先が設定されたジョブを他の画像処理装置に転送する。また、表示されたジョブの各々について、秘匿モードまたは非秘匿モードの設定を受け付け、設定されたモードでジョブを出力することとしてもよい。これにより、当該装置の混み具合に応じて秘匿印刷に切替えて装置の前を離れることができる。また、ジョブを投入しておいて、当該装置と他装置の混み具合に応じて秘匿印刷に切替えて他の装置へ転送することができる。【選択図】  図９
2005156762.tif 000002
【特許請求の範囲】
【請求項１】
投入されたジョブを転送可能な画像処理装置であって、
既にジョブが投入された状態で、新たなジョブの投入を受け付けるジョブ投入受付手段と、
前記ジョブ投入受付手段により投入されたジョブの一覧を表示するジョブ一覧表示手段と、
前記ジョブ一覧表示手段に表示されたジョブを選択し、他の画像処理装置への出力の設定を受け付ける出力先受付手段と、
前記投入されたジョブを出力するジョブ制御手段であって、前記出力先受付手段により出力の設定を受け付けたジョブを前記他の画像処理装置に転送するジョブ制御手段と
を備えたことを特徴とする画像処理装置。
【請求項２】
請求項１に記載の画像処理装置において、
前記出力先受付手段は、前記投入されたジョブのうち印刷中でないジョブについて、他の画像処理装置への出力の設定を受け付けることを特徴とする画像処理装置。
【請求項３】
請求項１または２に記載の画像処理装置において、
前記出力先受付手段は、前記投入されたジョブのうち他の画像処理装置から転送されたジョブを除くジョブについて、他の画像処理装置への出力の設定を受け付けることを特徴とする画像処理装置。
【請求項４】
請求項１ないし３のいずれかに記載の画像処理装置において、該画像処理装置は、印刷前に認証を要求する秘匿モード出力が可能であり、
前記ジョブ一覧表示手段に表示されたジョブを選択し、秘匿モードまたは非秘匿モードの設定を受け付ける秘匿設定受付手段をさらに備え、
前記ジョブ制御手段は、前記秘匿設定受付手段により設定を受け付けたモードで前記ジョブを出力または転送することを特徴とする画像処理装置。
【請求項５】
請求項４に記載の画像処理装置において、
前記秘匿設定受付手段は、前記投入されたジョブのうち印刷中でないジョブについて、秘匿モードまたは非秘匿モードの設定を受け付けることを特徴とする画像処理装置。
【請求項６】
請求項４または５に記載の画像処理装置において、
前記秘匿設定受付手段は、前記出力先受付手段により前記他の画像処理装置への出力の設定を受け付けたジョブを強制的に秘匿モードへ設定することを特徴とする画像処理装置。
【請求項７】
請求項４または５に記載の画像処理装置において、
前記秘匿設定受付手段は、前記出力先受付手段により前記他の画像処理装置への出力の設定を受け付けたジョブを強制的に非秘匿モードへ設定することを特徴とする画像処理装置。
【請求項８】
請求項４または５に記載の画像処理装置において、
前記出力先受付手段は、前記秘匿設定受付手段により秘匿モードの設定を受け付けたジョブの出力先を強制的に自装置に設定することを特徴とする画像処理装置。
【請求項９】
請求項４または５に記載の画像処理装置において、
前記秘匿設定受付手段は、前記投入されたジョブのうち他の画像処理装置から転送されたジョブを除くジョブについて、秘匿モードまたは非秘匿モードの設定を受け付けることを特徴とする画像処理装置。
【請求項１０】
請求項４ないし９のいずれかに記載の画像処理装置において、
前記ジョブの出力条件の設定を受け付けるジョブ出力条件受付手段と、
前記ジョブ出力条件受付手段により設定を受け付けたジョブの出力条件に応じて、前記出力先受付手段または前記秘匿設定受付手段による受付を制限する制限手段と
をさらに備えたことを特徴とする画像処理装置。
【請求項１１】
請求項４ないし１０のいずれかに記載の画像処理装置において、
該画像処理装置は、前記投入されたジョブについて認証を行うユーザ認証手段をさらに備え、
前記出力先受付手段または前記秘匿設定受付手段による受付は、前記ユーザ認証手段による認証が認められたジョブについて行うことを特徴とする画像処理装置。
【請求項１２】
請求項１ないし１１のいずれかに記載の画像処理装置において、
前記画像処理装置は、情報処理装置から受信したジョブを出力するプリンタ機能、スキャナ機能、コピー機能およびＦＡＸ機能からなる群から選択される少なくとも２つの機能を含む複合装置であることを特徴とする画像処理装置。
【請求項１３】
投入されたジョブを転送可能な画像処理装置であって、
既にジョブが投入された状態で、新たなジョブの投入を受け付けるジョブ投入受付手段と、
前記ジョブ投入受付手段により投入されたジョブの一覧を表示するジョブ一覧表示手段と、
前記ジョブ一覧表示手段に表示されたジョブを選択し、秘匿モードまたは非秘匿モードの設定を受け付ける秘匿設定受付手段をさらに備え、
前記ジョブ制御手段は、前記秘匿設定受付手段により設定を受け付けたモードで前記ジョブを印刷することを特徴とする画像処理装置。
【請求項１４】
請求項１３に記載の画像処理装置において、
前記秘匿設定受付手段は、前記投入されたジョブのうち印刷中でないジョブについて、秘匿モードまたは非秘匿モードの設定を受け付けることを特徴とする画像処理装置。
【請求項１５】
請求項１３または１４に記載の画像処理装置において、
前記秘匿設定受付手段は、前記投入されたジョブのうち他の画像処理装置から転送されたジョブを除くジョブについて、秘匿モードまたは非秘匿モードの設定を受け付けることを特徴とする画像処理装置。
【請求項１６】
請求項１３ないし１５のいずれかに記載の画像処理装置において、
該画像処理装置は、前記投入されたジョブについて認証を行うユーザ認証手段をさらに備え、
前記秘匿設定受付手段による受付は、前記ユーザ認証手段による認証が認められたジョブについて行うことを特徴とする画像処理装置。
【請求項１７】
投入されたジョブを転送可能な画像処理装置により実行される画像処理方法であって、
既にジョブが投入された状態で、新たなジョブの投入を受け付けるステップと、
投入された前記ジョブの一覧を表示するステップと、
表示された前記ジョブを選択し、他の画像処理装置への出力の設定を受け付けるステップと、
投入された前記ジョブを出力するステップであって、出力の設定を受け付けた前記ジョブを前記他の画像処理装置に転送するステップと
を備えたことを特徴とする画像処理方法。
【請求項１８】
請求項１７に記載の画像処理方法において、前記画像処理装置は、印刷前に認証を要求する秘匿モード出力が可能であり、
表示された前記ジョブについて、秘匿モードまたは非秘匿モードの設定を受け付けるステップをさらに備え、
設定を受け付けたモードで前記ジョブを出力することを特徴とする画像処理方法。
【請求項１９】
投入されたジョブを転送可能な画像処理方法であって、
既にジョブが投入された状態で、新たなジョブの投入を受け付けるステップと、
投入されたジョブの一覧を表示するステップと、
前記表示するステップにおいて表示されたジョブを選択し、秘匿モードまたは非秘匿モードの設定を受け付けるステップと、
前記設定を受け付けたモードで前記ジョブを印刷するステップとを備えたことを特徴とする画像処理方法。
【請求項２０】
投入されたジョブを転送可能な画像処理装置であって、
既にジョブが投入された状態で、新たなジョブの投入を受け付けるジョブ投入受付手段と、
前記ジョブ投入受付手段により投入されたジョブの一覧を表示するジョブ一覧表示手段と、
前記ジョブ一覧表示手段に表示されたジョブを選択し、他の画像処理装置への出力の設定を受け付ける出力先受付手段と、
前記投入されたジョブを出力するジョブ制御手段であって、前記出力先受付手段により出力の設定を受け付けたジョブを前記他の画像処理装置に転送するジョブ制御手段とを備え、
前記ジョブ投入受付手段は、他の画像形成装置から転送されたジョブを受け付ける
ことを特徴とする画像処理装置。
【請求項２１】
請求項２０に記載の画像処理装置を複数台接続することを特徴とする画像処理システム。
【請求項２２】
情報処理装置から受信したジョブを出力するプリンタ機能、スキャナ機能、コピー機能およびＦＡＸ機能からなる群から選択される少なくとも２つの機能を含む複合装置を、請求項１ないし２１のいずれかに記載の画像処理装置として機能させるためのコンピュータプログラム。
【発明の詳細な説明】
【技術分野】
【０００１】
本発明は画像処理装置および画像処理方法に関し、より具体的には、複数の画像処理装置がネットワーク接続されて相互通信可能な印刷システムにおいて、画像処理装置間でジョブを受け渡して出力することに関するものである。
【背景技術】
【０００２】
近年のネットワーク技術の飛躍的な進歩に伴い、ネットワーク対応のプリンタ、ＦＡＸ、スキャナ、あるいはこうした機能を併せ持った多機能周辺機器のような印刷装置が実用化されている。また、これら印刷装置をネットワークで連動させて印刷を行う印刷システムも提案されている。
【０００３】
図１５は、こうした印刷システムにおいて一般的な機能である秘匿モード印刷とリモートコピーの例を説明するための図である。
【０００４】
秘匿モード印刷は、印刷の際にユーザ認証を行う機能で、例えば、ホスト装置１４１から秘匿モードでジョブを印刷装置１４２に送ると、印刷装置１４２ではユーザ認証（パスワード入力等）が行われるまで印刷を行わないように制御する。
【０００５】
リモートコピー印刷は、ある印刷装置から他の印刷装置に対して印刷処理を実行させる機能である。例えば、リモートコピー印刷の場合、印刷装置１４４でコピー操作を受けると、印刷装置１４４でスキャンした画像のジョブ（リモートコピージョブ）を遠隔の印刷装置１４３に送信し、印刷装置１４３がそのジョブに基づき画像を出力する。
【０００６】
このように一般的になってきた印刷システムにおいて、以下のようなシステムおよび装置が知られている。
【０００７】
例えば特許文献１には、ローカル機器が印字動作中の場合、すぐにコピーやプリントができないので、他の装置の状態を把握し、未使用の装置があれば、その装置へジョブを転送するネットワーク画像形成システムが記載されている。
【０００８】
また、特許文献２には、投入ジョブがローカル機器にとって能力外の指定である場合や、ローカル機器が故障等の要因で印刷処理できない場合に、他の装置のジョブ履歴を検索し、処理可能な装置があれば、その装置へジョブを転送する画像処理装置が記載されている。
【０００９】
【特許文献１】特開２００３−１６３７８５号公報
【特許文献２】特開２００３−６０８３２号公報
【発明の開示】
【発明が解決しようとする課題】
【００１０】
上記の従来例では、印刷システムを構成する印刷装置の各々にホスト装置から複数のジョブを投入可能な構成になっている。しかしながら、このような印刷装置へのジョブの投入が確定すると、そのジョブを他の装置に転送することができない。したがって、ジョブの投入が確定した印刷装置において大量のジョブを印刷開始した場合や既に印刷中であることに気付かなかった場合等、そのジョブが終了するまで投入したジョブが開始されないという問題があった。
【００１１】
このようなジョブの待ち状態の発生は、ユーザに時間的負担を強いることになる。例えばユーザが秘匿性の要求される文書を印刷する際、秘匿モードにすることなくジョブを印刷装置に投入した後、出力後の文書が第三者に見られないように印刷装置付近で待機する場合がある。しかしながら、従来の印刷装置では秘匿印刷と非秘匿印刷の切替えができない。したがって、印刷装置付近で待機中のユーザに急用が発生しても、文書の印刷を秘匿印刷としていないため、その場を離れることができないという問題があった。
【００１２】
本発明は上記のような問題点を解決するためになされたものであり、その目的とするところは、一旦投入されたジョブであっても、設定変更対象のジョブを選択して、転送先の変更、秘匿印刷の切替えを可能にする画像処理装置および画像処理方法を選択することにある。
【課題を解決するための手段】
【００１３】
このような目的を達成するために、請求項１に記載の発明は、投入されたジョブを転送可能な画像処理装置であって、既にジョブが投入された状態で、新たなジョブの投入を受け付けるジョブ投入受付手段と、前記ジョブ投入受付手段により投入されたジョブの一覧を表示するジョブ一覧表示手段と、前記ジョブ一覧表示手段に表示されたジョブを選択し、他の画像処理装置への出力の設定を受け付ける出力先受付手段と、前記投入されたジョブを出力するジョブ制御手段であって、前記出力先受付手段により出力の設定を受け付けたジョブを前記他の画像処理装置に転送するジョブ制御手段とを備えたことを特徴とする。
【００１４】
また、請求項２に記載の発明は、請求項１に記載の画像処理装置において、前記出力先受付手段は、前記投入されたジョブのうち印刷中でないジョブについて、他の画像処理装置への出力の設定を受け付けることを特徴とする。
【００１５】
また、請求項３に記載の発明は、請求項１または２に記載の画像処理装置において、前記出力先受付手段は、前記投入されたジョブのうち他の画像処理装置から転送されたジョブを除くジョブについて、他の画像処理装置への出力の設定を受け付けることを特徴とする。
【００１６】
また、請求項４に記載の発明は、請求項１ないし３のいずれかに記載の画像処理装置において、該画像処理装置は、印刷前に認証を要求する秘匿モード出力が可能であり、前記ジョブ一覧表示手段に表示されたジョブを選択し、秘匿モードまたは非秘匿モードの設定を受け付ける秘匿設定受付手段をさらに備え、前記ジョブ制御手段は、前記秘匿設定受付手段により設定を受け付けたモードで前記ジョブを出力または転送することを特徴とする。
【００１７】
また、請求項５に記載の発明は、請求項４に記載の画像処理装置において、前記秘匿設定受付手段は、前記投入されたジョブのうち印刷中でないジョブについて、秘匿モードまたは非秘匿モードの設定を受け付けることを特徴とする。
【００１８】
また、請求項６に記載の発明は、請求項４または５に記載の画像処理装置において、前記秘匿設定受付手段は、前記出力先受付手段により前記他の画像処理装置への出力の設定を受け付けたジョブを強制的に秘匿モードへ設定することを特徴とする。
【００１９】
また、請求項７に記載の発明は、請求項４または５に記載の画像処理装置において、前記秘匿設定受付手段は、前記出力先受付手段により前記他の画像処理装置への出力の設定を受け付けたジョブを強制的に非秘匿モードへ設定することを特徴とする。
【００２０】
また、請求項８に記載の発明は、請求項４または５に記載の画像処理装置において、前記出力先受付手段は、前記秘匿設定受付手段により秘匿モードの設定を受け付けたジョブの出力先を強制的に自装置に設定することを特徴とする。
【００２１】
また、請求項９に記載の発明は、請求項４または５に記載の画像処理装置において、前記秘匿設定受付手段は、前記投入されたジョブのうち他の画像処理装置から転送されたジョブを除くジョブについて、秘匿モードまたは非秘匿モードの設定を受け付けることを特徴とする。
【００２２】
また、請求項１０に記載の発明は、請求項４ないし９のいずれかに記載の画像処理装置において、前記ジョブの出力条件の設定を受け付けるジョブ出力条件受付手段と、前記ジョブ出力条件受付手段により設定を受け付けたジョブの出力条件に応じて、前記出力先受付手段または前記秘匿設定受付手段による受付を制限する制限手段とをさらに備えたことを特徴とする。
【００２３】
また、請求項１１に記載の発明は、請求項４ないし１０のいずれかに記載の画像処理装置において、該画像処理装置は、前記投入されたジョブについて認証を行うユーザ認証手段をさらに備え、前記出力先受付手段または前記秘匿設定受付手段による受付は、前記ユーザ認証手段による認証が認められたジョブについて行うことを特徴とする。
【００２４】
また、請求項１２に記載の発明は、請求項１ないし１１のいずれかに記載の画像処理装置において、前記画像処理装置は、情報処理装置から受信したジョブを出力するプリンタ機能、スキャナ機能、コピー機能およびＦＡＸ機能からなる群から選択される少なくとも２つの機能を含む複合装置であることを特徴とする。
【００２５】
また、請求項１３に記載の発明は、投入されたジョブを転送可能な画像処理装置であって、既にジョブが投入された状態で、新たなジョブの投入を受け付けるジョブ投入受付手段と、前記ジョブ投入受付手段により投入されたジョブの一覧を表示するジョブ一覧表示手段と、前記ジョブ一覧表示手段に表示されたジョブを選択し、秘匿モードまたは非秘匿モードの設定を受け付ける秘匿設定受付手段をさらに備え、前記ジョブ制御手段は、前記秘匿設定受付手段により設定を受け付けたモードで前記ジョブを印刷することを特徴とする。
【００２６】
また、請求項１４に記載の発明は、請求項１３に記載の画像処理装置において、前記秘匿設定受付手段は、前記投入されたジョブのうち印刷中でないジョブについて、秘匿モードまたは非秘匿モードの設定を受け付けることを特徴とする。
【００２７】
また、請求項１５に記載の発明は、請求項１３または１４に記載の画像処理装置において、前記秘匿設定受付手段は、前記投入されたジョブのうち他の画像処理装置から転送されたジョブを除くジョブについて、秘匿モードまたは非秘匿モードの設定を受け付けることを特徴とする。
【００２８】
また、請求項１６に記載の発明は、請求項１３ないし１５のいずれかに記載の画像処理装置において、該画像処理装置は、前記投入されたジョブについて認証を行うユーザ認証手段をさらに備え、前記秘匿設定受付手段による受付は、前記ユーザ認証手段による認証が認められたジョブについて行うことを特徴とする。
【００２９】
また、請求項１７に記載の発明は、投入されたジョブを転送可能な画像処理装置により実行される画像処理方法であって、既にジョブが投入された状態で、新たなジョブの投入を受け付けるステップと、投入された前記ジョブの一覧を表示するステップと、表示された前記ジョブを選択し、他の画像処理装置への出力の設定を受け付けるステップと、投入された前記ジョブを出力するステップであって、出力の設定を受け付けた前記ジョブを前記他の画像処理装置に転送するステップとを備えたことを特徴とする。
【００３０】
また、請求項１８に記載の発明は、請求項１７に記載の画像処理方法において、前記画像処理装置は、印刷前に認証を要求する秘匿モード出力が可能であり、表示された前記ジョブについて、秘匿モードまたは非秘匿モードの設定を受け付けるステップをさらに備え、設定を受け付けたモードで前記ジョブを出力することを特徴とする。
【００３１】
また、請求項１９に記載の発明は、投入されたジョブを転送可能な画像処理方法であって、既にジョブが投入された状態で、新たなジョブの投入を受け付けるステップと、投入されたジョブの一覧を表示するステップと、前記表示するステップにおいて表示されたジョブを選択し、秘匿モードまたは非秘匿モードの設定を受け付けるステップと、前記設定を受け付けたモードで前記ジョブを印刷するステップとを備えたことを特徴とする。
【００３２】
また、請求項２０に記載の発明は、投入されたジョブを転送可能な画像処理装置であって、既にジョブが投入された状態で、新たなジョブの投入を受け付けるジョブ投入受付手段と、前記ジョブ投入受付手段により投入されたジョブの一覧を表示するジョブ一覧表示手段と、前記一覧表示手段に表示されたジョブを選択し、他の画像処理装置への出力の設定を受け付ける出力先受付手段と、前記投入されたジョブを出力するジョブ制御手段であって、前記出力先受付手段により出力の設定を受け付けたジョブを前記他の画像処理装置に転送するジョブ制御手段とを備え、前記ジョブ投入受付手段は、他の画像形成装置から転送されたジョブを受け付けることを特徴とする。
【００３３】
また、請求項２１に記載の発明は、画像処理システムであって、請求項２０に記載の画像処理装置を複数台接続することを特徴とする。
【００３４】
また、請求項２２に記載の発明は、コンピュータプログラムであって、情報処理装置から受信したジョブを出力するプリンタ機能、スキャナ機能、コピー機能およびＦＡＸ機能からなる群から選択される少なくとも２つの機能を含む複合装置を、請求項１ないし２１のいずれかに記載の画像処理装置として機能させるためのものである。
【発明の効果】
【００３５】
本発明によれば、ジョブの投入後であっても、装置に複数投入された処理待ちジョブの中から、設定変更対象のジョブを選択して、転送先の変更、あるいは秘匿印刷の切替えを可能にする。したがって、ジョブを投入しておいて、当該装置の混み具合に応じて、他の装置へ転送することが可能になる。
【００３６】
また、ジョブを投入しておいて、当該装置の混み具合に応じて秘匿印刷に切替えて装置の前を離れることができる。
【００３７】
また、ジョブを投入しておいて、当該装置と他装置の混み具合に応じて秘匿印刷に切替えて他の装置へ転送することができる。
【００３８】
また、本発明によれば、ジョブ出力条件モードに応じて秘匿設定とリモート設定の関係を制限することができる。
【００３９】
また、転送されたジョブについての設定変更を抑制することができる。
【００４０】
さらに、秘匿設定とリモート設定の変更を当該ジョブのオーナーのみに制限することができる。
【００４１】
結果として、このようなシステム運用が可能により、システムの利便性と生産性を高めることができる。
【発明を実施するための最良の形態】
【００４２】
（実施形態１）
以下、本発明の第１の実施形態を説明する。本実施形態では、画像処理装置として、プリント機能、コピー機能、スキャナ機能など多機能を有する多機能周辺機器（ＭＦＰ：Multi-Function-Peripheral）を例に説明する。ＭＦＰは通常の画像処理装置と同様、既にジョブが投入された状態で、新たなジョブの投入を受け付けることが可能である。
【００４３】
図１は、本実施形態に係る印刷システムの構成を示すブロック図である。
【００４４】
同図において、印刷システムは、多機能周辺機器（以下、「ＭＦＰ」と称する。）１、２、３、パソコン等の情報処理装置（以下、「ＰＣ」と称する。）４、周知プロトコルで動作するネットワーク５、および単一機能の周辺機器（ここでは、主にプリンタ機能のみを有する周辺機器を意味し、以下、「ＳＦＰ」と称する。）６を含んでいる。
【００４５】
そして、ネットワーク５を介して、ＭＦＰ１、ＭＦＰ２、ＭＦＰ３、情報処理装置４およびＳＦＰ６を接続して印刷システムを形成している。
【００４６】
図２は、本実施形態のＭＦＰ１の構成を示すブロック図である。
【００４７】
本実施形態においては、ＭＦＰ２、ＭＦＰ３も同様の構成である。同図において、外部装置群１０１は、印刷システムを構成するＭＦＰ１以外の装置（ＭＦＰ２、ＭＦＰ３、ＰＣ４、ＳＦＰ６）とネットワークを示している。
【００４８】
ＭＦＰ１  １０２は、コントローラ部１０３、パネル部１０４、スキャナエンジン部１０６、プリンタエンジン部１０５を含んでいる。プリンタエンジン部１０５は、イメージデータ（２値または多値データ）に基づいて、周知の電子写真プロセスによって感光ドラム上に潜像を形成し、用紙に転写して定着し印字を行う。スキャナエンジン部１０６は、原稿画像を光学的に読み取ってイメージデータを生成（イメージデータ化）する。パネル部１０４は、ユーザ（操作者）とのインターフェイスを行うもので、不図示のタッチセンサを有する液晶パネルと、キーボードで構成される。ユーザは、パネル部１０４を操作することによって、ＭＦＰ１  １０２に所定の動作を指示することができる。
【００４９】
コントローラ部１０３は、パネル部１０４、プリンタエンジン部１０５、スキャナエンジン部１０６を統合制御し、さらに外部装置群１０１との通信とデータ送受を行う。
【００５０】
なお、ＳＦＰ６は外部装置からの指示に応じて印刷を行うプリンタを想定しており、図２のＭＦＰ１  １０２からスキャナエンジン部１０６を除いた各ブロックから構成されている。
【００５１】
図３は、コントローラ部１０３のハードウェア構成を示すブロック図である。
【００５２】
ＣＰＵ３０９は、コントローラ部１０３全体の制御を司る。ＲＯＭ３０３は、ＣＰＵ３０９の制御コードを格納する。一時記憶用ＲＡＭ３０７は、ＣＰＵにより使用される記憶装置である。
【００５３】
ＤＭＡ制御部３０８は、ＣＰＵ３０９からの指示によりＲＡＭ３０７内のデータ、画像処理部３０４の入出力データ、プリンタインターフェイス部３０６の入力データ、スキャナインターフェイス部の出力データを各々転送することができる。
【００５４】
画像処理部３０４は画像レンダリング、色処理その他画像処理、フォーマット変換（符号化、復号化、圧縮、伸張等）を行う。
【００５５】
パネルインターフェイス部３０１は、パネル部１０４とのデータ通信によって、操作者からの諸設定、指示をパネル部１０４から受け取る。
【００５６】
外部インターフェイス部３０２は、外部装置群１０１との通信を行うものであり、印字データを送受するためのデータ用ポート、制御情報を専用に送受するための制御用ポートを、論理通信の階層で実現する。送受信データは各々専用のバッファメモリに所定ブロック単位で格納可能であり、ＣＰＵ３０９とのデータ授受に用いることができる。
【００５７】
プリンタインターフェイス部３０６はプリンタエンジン部１０５との信号の入出力部であり、不図示の出力バッファレジスタからデータ信号送出を行うとともにプリンタエンジン部１０５との通信制御を行う。
【００５８】
スキャナインターフェイス部３０５はスキャナエンジン部１０６との信号の入出力部であり、不図示の出力バッファレジスタからデータ信号送出を行うとともにスキャナエンジン部１０６との通信制御を行う。
【００５９】
システムバス３１１は、アドレスバスおよびデータバスを持っている。同図のようにシステムバス３１１に接続された全ての機能部は相互にアクセス可能である。
【００６０】
汎用外部バスコントローラ３１２は、本実施形態では汎用外部バスとしてＩＤＥ準拠バスを用いるが、ＳＣＳＩＩ等の他の方式であっても本実施形態の効果に変わりは無い。
【００６１】
ハードディスクドライブユニット３１４は、汎用外部バスによってシステムバス３１１に接続され、システムバス３１１に接続された各ユニットからアクセスを可能にしている。ＣＰＵ３０９は、論理的にはファイルシステムとしてアクセスを行う。
【００６２】
ＣＰＵ３０４を制御する制御コードは、不図示のシステムクロックによってタスクと称されるロードモジュール単位に時分割制御するＯＳと、機能単位に動作する複数のロードモジュール（タスク）によって構成されるものとする。
【００６３】
図４は、本実施形態に関わる制御フローを示す図である。
【００６４】
図中の通信処理４０１、ＵＩ処理４０２、ジョブ制御処理４０３、データ処理４０４、ジョブ管理処理４０５、読み取り処理４０６、印刷処理４０７は、ＣＰＵ３０９を実体とする論理的な機能処理単位である。機能処理単位には任意個のタスクが含まれる場合もある。
【００６５】
（通信処理）
通信処理４０１は、外部インターフェイス部３０２を介して外部装置群１０１とのデータ送受を管理する。通信処理４０１は、外部装置群１０１から送られるデータを解釈し、後述のジョブ管理情報、ジョブ出力条件、ジョブ印刷情報等をジョブ制御処理４０３に通知する。同時に、画像生成に関わる印字データ（ＰＤＬデータ、イメージデータ等）をデータ処理４０４に送る。
【００６６】
（ＵＩ処理）
ＵＩ処理４０２は、パネルインターフェイス部３０１を介してパネル部１０４とのデータ送受を管理し、パネル部１０４の表示を制御する。操作者のパネル操作による諸々のモード設定、制御指示は、パネル部１０４からの制御データとしてパネルインターフェイス部３０１へ送られ、パネルインターフェイス部３０１はデータ受信に応じて、パネル操作イベントＥ１０１をＵＩ処理４０２へ発行する。ＵＩ処理４０２は、パネル操作イベントＥ１０１の種別に応じてパネル部１０４の表示を遷移させる。また、パネル操作イベントＥ１０１がジョブに関する設定操作であると認識すると、ジョブ制御処理４０３に対してジョブ設定イベントＥ１０３を発行する。
【００６７】
一方、ジョブ制御処理４０３からジョブ状態変更イベントＥ１０４を受けると、パネルインターフェイス部３０１に対してジョブ状態変更イベントＥ１０２を発行する。
【００６８】
ジョブ制御処理４０３は、通信処理４０１、ＵＩ処理４０２、データ処理４０４、ジョブ管理処理４０５、読み取り処理４０６、印刷処理４０７を統合制御して下記の動作を実現する。
・通信処理４０１、データ処理４０４、ジョブ管理処理４０５、印刷処理４０７を制御してプリンタ機能を実現する。
・ＵＩ処理４０２、データ処理４０４、ジョブ管理処理４０５、読み取り処理４０６、印刷処理４０７を制御してコピー機能を実現する。
・ＵＩ処理４０２、データ処理４０４、ジョブ管理処理４０５、読み取り処理４０６、通信処理４０１を制御してスキャナ機能を実現する。
・通信処理４０１、データ処理４０４、ジョブ管理処理４０５、印刷処理４０７を制御してＭＦＰ２またはＭＦＰ３からの受信ジョブ印刷を実現する。
・通信処理４０１、データ処理４０４、ジョブ管理処理４０５、ＵＩ処理４０２を制御してＭＦＰ２またはＭＦＰ３に対するジョブ転送を実現する。
【００６９】
（データ処理）
データ処理４０４は、画像処理部３０４を制御し、ジョブ制御処理４０３からの指示に応じて、下記の処理を行う。また、通信処理４０１からのデータあるいは読み取り処理４０６からのデータを入力として、所定のデータ処理（画像変換、画像処理、圧縮）を行う。
【００７０】
また、データ処理４０４はＨＤＤユニット３１４またはＲＡＭ３０７の所定領域に前記データを格納管理する。そして、前記データに対して所定のデータ処理（画像変換、伸張）を行って印刷処理４０７へ送信する。
【００７１】
（ジョブ管理処理）
ジョブ管理処理４０５は、後述するジョブ管理リスト９０１を管理するものであり、ジョブ制御処理４０３の指示によって、ジョブ管理テーブル９０２の追加、削除を行い、情報設定、参照の代行を行う。
【００７２】
（読み取り処理）
読み取り処理４０６は、スキャナインターフェイス部３０５を介して、スキャナエンジン部１０６とのデータの授受を管理する。この読み取り処理４０６は、ジョブ制御処理４０３からの指示に応じて、スキャナエンジン部１０６に対して必要な制御情報を通知し、データ処理４０４と連携して所定のプロトコルで読み取りシーケンスを実行する。そして、スキャナエンジン部１０６から送られる状態情報を受け取って必要に応じてジョブ制御処理４０３へ通知する。
【００７３】
（印刷処理）
印刷処理４０７は、プリンタインターフェイス部３０６を介して、プリンタエンジン部１０５とのデータの授受を管理する。この印刷処理４０７は、ジョブ制御処理４０３からの指示に応じて、プリンタエンジン部１０５に対して必要な制御情報を通知し、データ処理４０４と連携して所定のプロトコルで印刷シーケンスを実行する。そして、プリンタエンジン部１０５から送られる状態情報を受け取って必要に応じてジョブ制御処理４０３へ通知する。
【００７４】
図５は、本実施形態に関わるパネル部１０４の外見を示す図である。
【００７５】
論理操作部５０２は、イメージ画像の表示が可能な液晶パネルと、タッチセンサによって論理的な操作部を構成する。物理スイッチ部５０３は、物理的な押しボタン（スイッチ）を備えている。テンキー５０４、メニューボタン５０５、ストップボタン５０６、スタートボタン５０７は全て物理スイッチ部５０３の押しボタンである。ユーザは、このように構成されたパネル部１０４の論理操作部５０２、物理スイッチ部５０３に含まれる各ボタンを操作することにより、ＭＦＰに対し種々の設定や指示を行う。
【００７６】
次に、図６ないし９を参照し、本実施形態に関わる論理操作部５０２の表示例について説明する。
【００７７】
図６は、論理操作部５０２に表示される基本画面である。
【００７８】
画面説明表示６０１は、機器状態表示６０２、印刷部数表示６０３、後述するジョブ一覧画面への遷移ボタン（以下、「ジョブリストボタン」と称する）６０４を含んでいる。
【００７９】
図７は、論理操作部５０２により表示されるジョブ一覧画面の一例を示す図である。
【００８０】
ジョブ状態表示７０１はジョブの状態を１行単位で表示するものであり、ジョブ状態表示説明７０２は表示内容を説明する。
【００８１】
スクロールボタン７０３は複数表示されたジョブを選択するためのものである。同図に示すように、選択されたジョブはジョブ状態表示７０１内で反転表示される。さらに、ジョブ一覧画面は、後述する選択中のジョブのジョブ設定画面への遷移ボタン（以下、「選択ボタン」と称する）７０４、基本画面への遷移ボタン（以下、「戻るボタン」と称する）７０５を含んでいる。さらに、ジョブ数表示７０６はジョブ状態表示７０１に表示されるジョブ数を表示するジョブ数表示である。
【００８２】
図８、９は、論理操作部５０２に構成されるジョブ設定画面である。
【００８３】
図８（ａ）に示すジョブ設定画面１は当該ジョブの出力条件が変更可能な場合の画面であり、図8（ｂ）に示すジョブ設定画面２は当該ジョブの出力条件が変更不可能な場合の画面である。
【００８４】
ジョブ情報表示８０１は変更不可能なジョブの情報を表示する。ジョブ状態表示８０２はジョブの状態を表示する。ジョブ設定表示（「出力条件」と称する）８０３は変更可能なジョブの設定を表示する。
【００８５】
秘匿モード設定８０４は秘匿モードの設定状態を表示して、秘匿モードまたは非秘匿モード（通常）の設定を受け付けるリストボックスであり、出力先設定７０５は出力先の設定状態を表示して、出力先の変更を受け付けるリストボックスである。
【００８６】
確定ボタン（「ＯＫボタン」と称する）８０６はジョブ設定表示８０３の表示で確定させるためのボタンである。遷移ボタン（「キャンセルボタン」と称する）８０７はジョブ一覧画面（後述）へ遷移するためのボタンである。
【００８７】
秘匿モードを設定する際には、秘匿モード設定８０４から秘匿モードを選択し、ＯＫボタン８０６を押下する。これにより、図９（ａ）に示すように、パスワードの設定を促すためのパスワード表示８１０が表示される。パスワードが設定されると、秘匿モードのジョブを印刷するには、印刷する装置の前で設定されたパスワードを入力しなければない。
また、ＯＫボタン８０６が押下された際に、当該設定の受付が不可能な場合には、図9（ｂ）に示すように、設定不可能報知８１１を表示する。本画面におけるＯＫボタン８１２が押下されるとジョブ設定画面へ遷移する。
【００８８】
図１０は、ジョブ管理処理４０５が管理するテーブルを説明するための図である。
【００８９】
ジョブ管理リスト９０１は、テーブル管理情報によってジョブ管理テーブル９０２を管理する。ジョブ管理処理４０５は、ジョブが登録されるとジョブ管理テーブル９０２を生成して、実際に印刷するジョブデータ（印刷データ）とリンクさせる。ジョブ管理リスト９０１は、受付中のジョブ管理テーブルをリスト形式に管理する構造になっている。
【００９０】
ジョブ管理テーブル９０２は、テーブル自体の構成を管理するためのテーブル管理情報、ジョブを認識特定するためのジョブ管理情報、ジョブを印刷するための設定であるジョブ出力条件、ジョブを印刷するためのデータやレイアウト情報であるジョブ印刷情報から構成される。
【００９１】
ジョブ管理情報には、受付番号、ジョブ名称、オーナー、ジョブ種別、状態、印刷データの格納先情報などが含まれる。ジョブ種別は、コピー、スキャン、プリントなどのサービス種別である。状態には、生成中、印刷待ち、印刷中があり、各々以下の意味を持っている。  
生成中：データを生成している状態
印刷待ち：いつでも印刷を開始できる状態。印刷順番待ちである。
印刷中：印刷している状態。  
ここで言うところの「印刷」とは、物理用紙への転写プロセスを意味している。
【００９２】
ジョブ出力条件には、秘匿設定、パスワード、出力先がある。秘匿設定は、通常（非秘匿印刷）と秘匿（秘匿印刷）がある。パスワードは、任意の文字列であり、秘匿印刷時の印刷開始許可に用いる。出力先は、ローカル、ＭＦＰ２、ＭＦＰ３、ＳＦＰ６が設定可能である。
【００９３】
ジョブ印刷情報には、実際に印刷に用いる種々の形式の印刷データ９０３へのハンドル情報や、印刷部数情報等が格納されている。
【００９４】
図１１は、図６ないし図９で示した論理操作部５０２の画面遷移とトリガを説明するための図である。この画面遷移は、ＵＩ処理４０２がジョブ制御処理４０３とパネルインターフェイス部３０１からのイベント情報に応じて実現する。
【００９５】
電源を投入すると、基本画面Ｓｔ１となる。ジョブリストボタン６０４が押下されると、ジョブリスト押下イベントＥ０１がパネルインターフェイス部３０１から発行される。このイベントを受けるとジョブ一覧画面Ｓｔ２へ遷移する。
【００９６】
ジョブ一覧画面Ｓｔ２において、選択ボタン７０４が押下されると、選択押下イベントＥ０２がパネルインターフェイス部３０１から発行される。このイベントを受けるとジョブ設定画面Ｓｔ３へ遷移する。一方、戻るボタン７０５が押下されると、同様にして基本画面Ｓｔ１へ遷移する。
【００９７】
ジョブ設定画面Ｓｔ３において、ＯＫボタン８０６が押下されると、設定反映処理を行って、ジョブ一覧画面Ｓｔ２へ遷移する。設定反映処理とは、設定が不可能な場合に設定不可能報知８１１を表示してユーザへ確認を求め、ユーザ同意の元に設定値をジョブ出力条件に設定する動作のことである。
【００９８】
ジョブ設定画面Ｓｔ３において、キャンセルボタン８０７が押下されると、処理を行わずにジョブ一覧画面Ｓｔ２へ遷移する。
【００９９】
図１２は、ＵＩ処理４０２のフローチャートである。
【０１００】
ＵＩ処理４０２は、ユーザによるパネル操作をパネルインターフェイス部３０１からのイベントとして受信し、ジョブ状態の変更をジョブ制御処理４０３からのイベントとして受信する。本フローチャートは、ＵＩ処理４０２がジョブ設定画面Ｓｔ３である状態において、これらのイベントを受信した際の動作を説明するためのものであって、イベント受信毎にＳ１からの処理を行う。
【０１０１】
ＵＩ処理４０２はジョブ設定画面Ｓｔ３においてイベントを受信し（Ｓ１）、受信イベントがジョブ状態変更イベントＥ１０４である場合、当該設定対象ジョブの状態が印刷中であれば図８（ｂ）のジョブ設定画面２を再表示し（Ｓ３）、ジョブ状態が印刷中以外であれば図８のジョブ設定画面１を再表示する（Ｓ４）。
【０１０２】
受信イベントがパネル操作イベントＥ１０１でその詳細が出力条件設定イベントであれば（Ｓ５：Ｙｅｓルート）、設定情報を表示に反映させる（Ｓ６）。この際、ジョブ表示画面がジョブ表示画面２であれば設定情報を無視する。
【０１０３】
受信イベントがパネル操作イベントＥ１０１でその詳細が出力条件設定確認イベントであれば（Ｓ８：Ｙｅｓルート）、設定をジョブ制御処理４０３経由でジョブ管理テーブル９０２に反映させる。ただし、設定反映中にジョブ状態が変化して印刷中になった場合には設定の反映を行わない（Ｓ８）。そしてジョブ一覧画面Ｓｔ２へ遷移させて（Ｓ９）終了する(Ｓ１０)。
【０１０４】
以上説明したように、ＭＦＰ１、ＭＦＰ２、ＭＦＰ３、ＳＦＰ１で構成される印刷システムにおいて、ＭＦＰ１は、ジョブの予約投入を複数受け付けて、前記予約ジョブを一覧表示し、前記ジョブの各々について、リモート出力とローカル出力を切替えること、および秘匿モードと非秘匿モードの切替えが可能であり、これらの切替えを印刷開始まで受け付けることができる。
【０１０５】
またＭＦＰ２、ＭＦＰ３においてもＭＦＰ１と同様のジョブ操作を可能とするので、とりあえずジョブを投入しておいて、当該装置の混み具合に応じて、他の装置へ転送することができる。
【０１０６】
また、とりあえずジョブを投入しておいて、当該装置の混み具合に応じて秘匿印刷に切替えて装置の前を離れることができる。
【０１０７】
また、とりあえずジョブを投入しておいて、当該装置と他装置の混み具合に応じて秘匿印刷に切替えて他の装置へ転送することができる。
【０１０８】
またＭＦＰ１、２、３等のように同様のジョブ操作を可能とする装置でシステムを組むことで、どの装置からでも他の装置に印刷先の変更や秘匿設定の切換えができるため、特定の装置に利用が集中することが防止でき、印刷ジョブをより一層効率よく処理することができるという顕著な効果がある。
結果として、このようなシステム運用により、システムの利便性と生産性を高めることができる。
【０１０９】
（実施形態２）
次に、本発明における第２の実施形態を説明する。なお、本実施形態において、特に説明が無い場合、あるいは図において同一の符号であるものは、実施形態１と同様のものを示す。すなわち、実施形態１との相違点に関して説明を行う。
【０１１０】
本実施形態では図１３のように、図１０のジョブ出力条件にさらにジョブ出力条件モードが追加される。ジョブ出力条件モードは、モードＡ、モードＢ、モードＣが選択的に設定される。
【０１１１】
本実施形態において、モードＡは、実施形態１と同等のモードである。
【０１１２】
また、モードＢは秘匿設定とリモート設定の共存を制限するモードであり、秘匿モードのジョブは必ずローカル装置で印刷させるように設定を導く。また一方で、リモート設定のジョブは必ず非秘匿モードで印刷させるように設定を導く。これは印刷システムを構成する印刷装置が必ずしも秘匿印刷を受けられる装置では無い場合に有効なモードである。
【０１１３】
また、モードＣはリモート設定時に必ず秘匿設定させるモードであり、リモート設定のジョブは必ず秘匿モードで印刷させるように設定を導く。リモート出力は、ジョブのオーナー以外が出力物を目にする機会を増やすため、リモート出力の安全性を高める場合に有効なモードである。
【０１１４】
論理操作部５０２は、基本画面においてメニューボタン５０５が押下されることによって不図示のメニュー画面へ遷移する。このメニュー画面からジョブ出力条件モードの設定を行うことができる。また、各モードの設定は、リモート出力される装置の能力（秘匿モードを受け付けられるか等）に応じて自動的に設定されるようになっていてもよい。
本実施形態におけるＵＩ処理４０２は、図１２で説明したフローチャートの表示反映（Ｓ６）において、さらにジョブ出力条件モードに応じて秘匿設定とリモート設定の関係を制限する。
【０１１５】
図１４は、ＵＩ処理４０２のフローチャートであり、図１２の表示反映（Ｓ６）での本実施形態における処理を説明するための図である。
【０１１６】
表示反映（Ｓ６）は、出力条件モードがモードＢである場合に（Ｓ２１：Ｙｅｓルート）、秘匿設定がジョブ管理テーブルに既にされていると（Ｓ２２：Ｙｅｓルート）、新規リモート設定を無効化する（Ｓ２３）。さらにリモート設定がジョブ管理テーブルに既にされている（Ｓ２４：Ｙｅｓルート）と、新規秘匿設定を無効化して（Ｓ２５）、表示を行う（Ｓ２６）。
【０１１７】
出力条件モードがモードＣである場合には（Ｓ２７：Ｙｅｓルート）、リモート設定がジョブ管理テーブルに既にされている（Ｓ２８：Ｙｅｓルート）と、強制的に新規秘匿設定を行わせて（Ｓ２９）、表示を行う（Ｓ２６）。
【０１１８】
出力条件モードがモードＡである場合には（Ｓ２７：Ｎｏルート）、そのまま表示を行う（Ｓ２６）。
【０１１９】
以上説明したように、ＭＦＰ１、ＭＦＰ２、ＭＦＰ３で構成される印刷システムにおいてＭＦＰ１は、ジョブ出力条件モードに応じて秘匿設定とリモート設定の関係を制限することが可能である。
【０１２０】
（実施形態３）
次に、本発明における第３の実施形態を説明する。なお、本実施形態において、特に説明が無い場合、あるいは図において同一の符号であるものは、実施形態１と同様である。すなわち、実施形態１との相違点に関して説明を行う。
【０１２１】
本実施形態において、ＭＦＰ１のＵＩ処理４０２は、ジョブ設定画面を表示する際に、ジョブ種がリモートジョブの受信印刷である場合に、無条件にジョブ設定画面２を表示することで、設定変更を行わせないようにする。
【０１２２】
本実施形態によれば、ＭＦＰ１において、ＭＦＰ２、ＭＦＰ３から転送されたジョブについての設定変更を抑制することができる。
【０１２３】
（実施形態４）
次に、本発明における第４の実施形態を説明する。なお、本実施形態において、特に説明が無い場合、あるいは図において同一図番であるものは、実施形態１と同様である。すなわち、実施形態１との相違点に関して説明を行う。
【０１２４】
本実施形態において、ＭＦＰ１のＵＩ処理４０２は、ジョブ設定画面への遷移に先駆けて、操作者の認証を行う画面を表示して、所定のＩＤやパスワードによって操作者のオーナー名を認識する。
【０１２５】
さらに、認識したオーナー名が当該ジョブのジョブ管理テーブル９０２のジョブ管理情報にあるオーナーと一致する場合にはジョブ設定画面１を表示し、一致しない場合にはジョブ設定画面２を表示する。
【０１２６】
本実施形態によれば、ユーザ認証が認められたジョブについてのみ出力先またはモード変更の受付を行うので、ジョブ出力条件を変更する権限を当該ジョブのオーナーに制限することができる。
【０１２７】
（他の実施形態）
本発明は、上述した実施形態に限定されず、他の種々の形態で実施をすることができる。例えば、ＭＦＰ１、ＭＦＰ２、ＭＦＰ３、ＳＦＰ６は、プリンタ、コピー、スキャナ、ＦＡＸのいずれかの機能を有するものであれば他の装置でも本発明の効果に変わりは無い。
【０１２８】
また、ＭＦＰからＳＦＰへジョブを転送する処理も、上述の実施形態と同様に行うことができる。
【０１２９】
本発明は、複数の機器(例えばホストコンピュータ、インターフェイス機器、リーダ、プリンタなど）から構成されるシステムに適用しても、一つの機器からなる装置（複写機、プリンタ、ファクシミリ装置など）に適用してもよい。
【０１３０】
また、本発明は、前述した実施形態の機能を実現する、各図のフローチャートの手順を実現するプログラムコードを記憶した記憶媒体を、システムあるいは装置のコンピュータ（またはＣＰＵやＭＰＵ）が記憶媒体に格納されたプログラムコードを読出し実行することによっても達成される。
【０１３１】
この場合、記憶媒体から読み出されたプログラムコード自体が前述した実施形態の機能を実現することになり、そのプログラムコードを記憶した記憶媒体は本発明を構成することになる。
【０１３２】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１３３】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０１３４】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【０１３５】
【図１】本発明が適用される印刷システムの構成の一例を示す図である。
【図２】本発明が適用される画像処理装置の構成の一例を示す図である。
【図３】本発明が適用される画像処理装置の電気的構成の一例を示すブロック図である。
【図４】本発明が適用される画像処理装置の論理処理構成の一例を示すブロック図である。
【図５】本発明が適用される画像処理装置のパネル部の構成の一例を示す図である。
【図６】本発明が適用される画像処理装置のユーザインターフェイスの一例を示す図である。
【図７】本発明が適用される画像処理装置のユーザインターフェイスの一例を示す図である。
【図８】本発明が適用される画像処理装置のユーザインターフェイスの一例を示す図である。
【図９】本発明が適用される画像処理装置のユーザインターフェイスの一例を示す図である。
【図１０】本発明が適用される画像処理装置のデータ構造の一例を示す図である。
【図１１】本発明が適用される画像処理装置の画面遷移の一例を示す図である。
【図１２】実施形態１における制御フローチャートである。
【図１３】実施形態２におけるデータ構造を示す図である。
【図１４】実施形態２における制御フローチャートである。
【図１５】従来例を説明するための図である。
【符号の説明】
【０１３６】
１、２、３  ＭＦＰ
４  ホスト装置
５  ネットワーク
６  ＳＦＰ１０１  外部装置群
１０２  多機能周辺機器
１０３  コントローラ部
１０４  パネル部
１０５  プリンタエンジン部
１０６  スキャナエンジン部
【図１】
2005156762.tif 000003
【図２】
2005156762.tif 000004
【図３】
2005156762.tif 000005
【図４】
2005156762.tif 000006
【図５】
2005156762.tif 000007
【図６】
2005156762.tif 000008
【図７】
2005156762.tif 000009
【図８】
2005156762.tif 000010
【図９】
2005156762.tif 000011
【図１０】
2005156762.tif 000012
【図１１】
2005156762.tif 000013
【図１２】
2005156762.tif 000014
【図１３】
2005156762.tif 000015
【図１４】
2005156762.tif 000016
【図１５】
2005156762.tif 000017
【手続補正書】
【提出日】平成16年12月14日(2004.12.14)
【手続補正１】
【補正対象書類名】特許請求の範囲
【補正対象項目名】全文
【補正方法】変更
【補正の内容】
【特許請求の範囲】
【請求項１】
投入されたジョブを転送可能な画像処理装置であって、
既にジョブが投入された状態で、新たなジョブの投入を受け付けるジョブ投入受付手段と、
前記ジョブ投入受付手段により投入されたジョブの一覧を表示するジョブ一覧表示手段と、
前記ジョブ一覧表示手段に表示されたジョブを選択し、他の画像処理装置への出力の設定を受け付ける出力先受付手段と、
前記投入されたジョブを出力するジョブ制御手段であって、前記出力先受付手段により出力の設定を受け付けたジョブを前記他の画像処理装置に転送するジョブ制御手段と
を備えたことを特徴とする画像処理装置。
【請求項２】
請求項１に記載の画像処理装置において、
前記出力先受付手段は、前記投入されたジョブのうち印刷中でないジョブについて、他の画像処理装置への出力の設定を受け付けることを特徴とする画像処理装置。
【請求項３】
請求項１または２に記載の画像処理装置において、
前記出力先受付手段は、前記投入されたジョブのうち他の画像処理装置から転送されたジョブを除くジョブについて、他の画像処理装置への出力の設定を受け付けることを特徴とする画像処理装置。
【請求項４】
請求項１ないし３のいずれかに記載の画像処理装置において、該画像処理装置は、印刷前に認証を要求する秘匿モード出力が可能であり、
前記ジョブ一覧表示手段に表示されたジョブを選択し、秘匿モードまたは非秘匿モードの設定を受け付ける秘匿設定受付手段をさらに備え、
前記ジョブ制御手段は、前記秘匿設定受付手段により設定を受け付けたモードで前記ジョブを出力または転送することを特徴とする画像処理装置。
【請求項５】
請求項４に記載の画像処理装置において、
前記秘匿設定受付手段は、前記投入されたジョブのうち印刷中でないジョブについて、秘匿モードまたは非秘匿モードの設定を受け付けることを特徴とする画像処理装置。
【請求項６】
請求項４または５に記載の画像処理装置において、
前記秘匿設定受付手段は、前記出力先受付手段により前記他の画像処理装置への出力の設定を受け付けたジョブを強制的に秘匿モードへ設定することを特徴とする画像処理装置。
【請求項７】
請求項４または５に記載の画像処理装置において、
前記秘匿設定受付手段は、前記出力先受付手段により前記他の画像処理装置への出力の設定を受け付けたジョブを強制的に非秘匿モードへ設定することを特徴とする画像処理装置。
【請求項８】
請求項４または５に記載の画像処理装置において、
前記出力先受付手段は、前記秘匿設定受付手段により秘匿モードの設定を受け付けたジョブの出力先を強制的に自装置に設定することを特徴とする画像処理装置。
【請求項９】
請求項４または５に記載の画像処理装置において、
前記秘匿設定受付手段は、前記投入されたジョブのうち他の画像処理装置から転送されたジョブを除くジョブについて、秘匿モードまたは非秘匿モードの設定を受け付けることを特徴とする画像処理装置。
【請求項１０】
請求項４ないし９のいずれかに記載の画像処理装置において、
前記ジョブの出力条件の設定を受け付けるジョブ出力条件受付手段と、
前記ジョブ出力条件受付手段により設定を受け付けたジョブの出力条件に応じて、前記出力先受付手段または前記秘匿設定受付手段による受付を制限する制限手段と
をさらに備えたことを特徴とする画像処理装置。
【請求項１１】
請求項４ないし１０のいずれかに記載の画像処理装置において、
該画像処理装置は、前記投入されたジョブについて認証を行うユーザ認証手段をさらに備え、
前記出力先受付手段または前記秘匿設定受付手段による受付は、前記ユーザ認証手段による認証が認められたジョブについて行うことを特徴とする画像処理装置。
【請求項１２】
請求項１ないし１１のいずれかに記載の画像処理装置において、
前記画像処理装置は、情報処理装置から受信したジョブを出力するプリンタ機能、スキャナ機能、コピー機能およびＦＡＸ機能からなる群から選択される少なくとも２つの機能を含む複合装置であることを特徴とする画像処理装置。
【請求項１３】
投入されたジョブを転送可能な画像処理装置であって、
既にジョブが投入された状態で、新たなジョブの投入を受け付けるジョブ投入受付手段と、
前記ジョブ投入受付手段により投入されたジョブの一覧を表示するジョブ一覧表示手段と、
前記ジョブ一覧表示手段に表示されたジョブを選択し、秘匿モードまたは非秘匿モードの設定を受け付ける秘匿設定受付手段をさらに備え、
前記ジョブ制御手段は、前記秘匿設定受付手段により設定を受け付けたモードで前記ジョブを印刷することを特徴とする画像処理装置。
【請求項１４】
請求項１３に記載の画像処理装置において、
前記秘匿設定受付手段は、前記投入されたジョブのうち印刷中でないジョブについて、秘匿モードまたは非秘匿モードの設定を受け付けることを特徴とする画像処理装置。
【請求項１５】
請求項１３または１４に記載の画像処理装置において、
前記秘匿設定受付手段は、前記投入されたジョブのうち他の画像処理装置から転送されたジョブを除くジョブについて、秘匿モードまたは非秘匿モードの設定を受け付けることを特徴とする画像処理装置。
【請求項１６】
請求項１３ないし１５のいずれかに記載の画像処理装置において、
該画像処理装置は、前記投入されたジョブについて認証を行うユーザ認証手段をさらに備え、
前記秘匿設定受付手段による受付は、前記ユーザ認証手段による認証が認められたジョブについて行うことを特徴とする画像処理装置。
【請求項１７】
投入されたジョブを転送可能な画像処理装置により実行される画像処理方法であって、
既にジョブが投入された状態で、新たなジョブの投入を受け付けるステップと、
投入された前記ジョブの一覧を表示するステップと、
表示された前記ジョブを選択し、他の画像処理装置への出力の設定を受け付けるステップと、
投入された前記ジョブを出力するステップであって、出力の設定を受け付けた前記ジョブを前記他の画像処理装置に転送するステップと
を備えたことを特徴とする画像処理方法。
【請求項１８】
請求項１７に記載の画像処理方法において、前記画像処理装置は、印刷前に認証を要求する秘匿モード出力が可能であり、
表示された前記ジョブについて、秘匿モードまたは非秘匿モードの設定を受け付けるステップをさらに備え、
設定を受け付けたモードで前記ジョブを出力することを特徴とする画像処理方法。
【請求項１９】
投入されたジョブを転送可能な画像処理方法であって、
既にジョブが投入された状態で、新たなジョブの投入を受け付けるステップと、
投入されたジョブの一覧を表示するステップと、
前記表示するステップにおいて表示されたジョブを選択し、秘匿モードまたは非秘匿モードの設定を受け付けるステップと、
前記設定を受け付けたモードで前記ジョブを印刷するステップとを備えたことを特徴とする画像処理方法。
【請求項２０】
投入されたジョブを転送可能な画像処理装置であって、
既にジョブが投入された状態で、新たなジョブの投入を受け付けるジョブ投入受付手段と、
前記ジョブ投入受付手段により投入されたジョブの一覧を表示するジョブ一覧表示手段と、
前記ジョブ一覧表示手段に表示されたジョブを選択し、他の画像処理装置への出力の設定を受け付ける出力先受付手段と、
前記投入されたジョブを出力するジョブ制御手段であって、前記出力先受付手段により出力の設定を受け付けたジョブを前記他の画像処理装置に転送するジョブ制御手段とを備え、
前記ジョブ投入受付手段は、他の画像形成装置から転送されたジョブを受け付ける
ことを特徴とする画像処理装置。
【請求項２１】
請求項２０に記載の画像処理装置を複数台接続することを特徴とする画像処理システム。
【請求項２２】
情報処理装置から受信したジョブを出力するプリンタ機能、スキャナ機能、コピー機能およびＦＡＸ機能からなる群から選択される少なくとも２つの機能を含む複合装置を、請求項１ないし１６、２０および２１のいずれかに記載の画像処理装置として機能させるためのコンピュータプログラム。
【請求項２３】
投入されたジョブを転送可能な画像処理装置であって、
既にジョブが投入された状態で、新たなジョブの投入を受け付けるジョブ投入受付手段と、
前記ジョブ投入受付手段により投入されたジョブの一覧を表示するジョブ一覧表示手段と、
前記ジョブ一覧表示手段に表示されたジョブを選択し、他の画像処理装置への出力の設定を受け付ける出力先受付手段と、
前記投入されたジョブを出力するジョブ制御手段であって、前記出力先受付手段により出力の設定を受け付けたジョブを前記他の画像処理装置に転送するジョブ制御手段とを備え、
前記ジョブ投入受付手段は、他の画像形成装置から転送されたジョブを受け付ける
ことを特徴とする画像処理装置。
【請求項２４】
投入されたジョブを転送可能な画像処理装置により実行される画像処理方法であって、
既にジョブが投入された状態で、新たなジョブの投入を受け付けるステップと、
投入されたジョブの一覧を表示するステップと、
前記表示ステップにおいて表示されたジョブを選択し、他の画像処理装置への出力の設定を受け付けるステップと、
投入されたジョブを出力するステップであって、出力の設定を受け付けたジョブを前記他の画像処理装置に転送するステップとを備え、
前記ジョブの投入を受け付けるステップでは、他の画像形成装置から転送されたジョブを受け付ける
ことを特徴とする画像処理方法。
【請求項２５】
投入されたジョブを転送可能な画像処理装置に以下のステップを実行させるためのプログラムであって、
既にジョブが投入された状態で、新たなジョブの投入を受け付けるステップと、
投入されたジョブの一覧を表示するステップと、
前記表示ステップにおいて表示されたジョブを選択し、他の画像処理装置への出力の設定を受け付けるステップと、
投入されたジョブを出力するステップであって、出力の設定を受け付けたジョブを前記他の画像処理装置に転送するステップとを備え、
前記ジョブの投入を受け付けるステップでは、他の画像形成装置から転送されたジョブを受け付ける
ことを特徴とするプログラム。
【手続補正２】
【補正対象書類名】明細書
【補正対象項目名】００３４
【補正方法】変更
【補正の内容】
【００３４】
また、請求項２２に記載の発明は、コンピュータプログラムであって、情報処理装置から受信したジョブを出力するプリンタ機能、スキャナ機能、コピー機能およびＦＡＸ機能からなる群から選択される少なくとも２つの機能を含む複合装置を、請求項１ないし１６、２０および２１のいずれかに記載の画像処理装置として機能させるためのものである。
また、請求項２３に記載の発明は、投入されたジョブを転送可能な画像処理装置であって、既にジョブが投入された状態で、新たなジョブの投入を受け付けるジョブ投入受付手段と、前記ジョブ投入受付手段により投入されたジョブの一覧を表示するジョブ一覧表示手段と、前記ジョブ一覧表示手段に表示されたジョブを選択し、他の画像処理装置への出力の設定を受け付ける出力先受付手段と、前記投入されたジョブを出力するジョブ制御手段であって、前記出力先受付手段により出力の設定を受け付けたジョブを前記他の画像処理装置に転送するジョブ制御手段とを備え、前記ジョブ投入受付手段は、他の画像形成装置から転送されたジョブを受け付けることを特徴とする。
また、請求項２４に記載の発明は、投入されたジョブを転送可能な画像処理装置により実行される画像処理方法であって、既にジョブが投入された状態で、新たなジョブの投入を受け付けるステップと、投入されたジョブの一覧を表示するステップと、前記表示ステップにおいて表示されたジョブを選択し、他の画像処理装置への出力の設定を受け付けるステップと、投入されたジョブを出力するステップであって、出力の設定を受け付けたジョブを前記他の画像処理装置に転送するステップとを備え、前記ジョブの投入を受け付けるステップでは、他の画像形成装置から転送されたジョブを受け付けることを特徴とする。
また、請求項２５に記載の発明は、投入されたジョブを転送可能な画像処理装置に以下のステップを実行させるためのプログラムであって、既にジョブが投入された状態で、新たなジョブの投入を受け付けるステップと、投入されたジョブの一覧を表示するステップと、前記表示ステップにおいて表示されたジョブを選択し、他の画像処理装置への出力の設定を受け付けるステップと、投入されたジョブを出力するステップであって、出力の設定を受け付けたジョブを前記他の画像処理装置に転送するステップとを備え、前記ジョブの投入を受け付けるステップでは、他の画像形成装置から転送されたジョブを受け付ける
ことを特徴とする。